(57)【要約】【課題】  大型で横長の表示画面を具備する薄型表示装置の設置時の該薄型表示装置の傾き調整時の傾き検出手段を提供する。【解決手段】  液晶表示パネルやプラズマディスプレイパネルなどの薄型表示素子を構成要素とする薄型表示装置を壁面に懸架し壁掛け型とし、または該薄型表示装置の表示部本体にスタンドを取り付け床置き型または卓上型として設置する場合に該表示部本体に傾き調整用の傾き検出手段を具備させ、該表示部本体の傾き方向または傾き角度を液体と気泡を透明管内に封入した気泡管式水準器を該液晶テレビの天面に配設させ、または該薄型表示装置の表示画面上に表示させる。【選択図】  図３
2007178148.tif 000002
【特許請求の範囲】
【請求項１】
薄型表示素子を構成要素とする薄型表示装置において、該薄型表示装置の表示部本体に傾き角度検出手段を具備したことを特徴とする薄型表示装置。
【請求項２】
薄型表示素子、および床置き設置または卓上設置のためのスタンドを構成要素とする薄型表示装置において、該薄型表示装置の表示部本体に傾き検出手段を具備させたことを特徴とする薄型表示装置。
【請求項３】
請求項１または２のいずれかに記載の薄型表示装置において、前記傾き検出手段は該薄型表示装置の前キャビネットの輪郭線および、または前キャビネットの画面表示部の画枠部ラインとの水平方向での傾きがゼロの状態で固定、または校正されて前記薄型表示装置の表示部本体に具備させたことを特徴とする薄型表示装置。
【請求項４】
請求項１乃至３に記載の薄型表示装置において、前記傾き検出手段として液体と気泡を透明容器内に封入した構造の水準器を用い、該水準器を前記薄型表示装置の表示部本体に配設したことを特徴とする薄型表示装置。
【請求項５】
請求項４に記載の薄型表示装置において、前記水準器を、該薄型表示装置の少なくとも前面方向と上方向または下方向、または背面方向と上方向または下方向から視認可能な表示部本体の傾斜面に配設したことを特徴とする薄型表示装置。
【請求項６】
請求項１乃至３に記載の薄型表示装置において、前記傾き検出手段として液体と気泡を透明容器内に封入した構造の水準器と該気泡位置検出手段を用い、該気泡位置検出手段を有する水準器により検出された該薄型表示装置の傾きに関する情報を該薄型表示装置の表示画面上に表示させたことを特徴とする薄型表示装置。
【請求項７】
請求項１乃至３に記載の薄型表示装置において、前記傾き検出手段として角度センサを用い、該角度センサにより検出された該薄型表示装置の傾きに関する情報を該薄型表示装置の表示画面上に表示させたことを特徴とする薄型表示装置。
【請求項８】
請求項６または７のいずれかに記載の薄型表示装置において、検出された該薄型表示装置の傾き情報として、傾きの方向または傾き補正方向または傾き角度の少なくとも何れかを該薄型表示装置の表示画面上に表示させたことを特徴とする薄型表示装置。
【発明の詳細な説明】
【技術分野】
【０００１】
本発明は、液晶表示パネルやプラズマディスプレイパネルなどを表示素子とした大型表示画面を具備する薄型表示装置の設置作業改善に関し、詳しくは該薄型表示装置を構成する画面表示部の画枠またはキャビネットの輪郭線が設置環境中の該薄型表示装置観視時の背景の一部として視認される水平線、又は鉛直線との角度ずれを検出する手段に関する。
【背景技術】
【０００２】
近時、液晶表示パネルやプラズマディスプレイパネルなどを表示素子とする液晶テレビや液晶ディスプレイなど薄型表示装置の表示画面の大型化とともに、液晶テレビでは表示画面の縦横比が従来の３：４から９：１６の横長画面化への流れも急速に進展し、有効表示画面の横幅寸法が１．５メートルを越える商品も市販されている。さらに立体音響効果による臨場感を再現するために該表示画面左右の両袖に配設されたスピーカを含むキャビネットの横幅寸法は、さらに大きくなっている。幾何学的な直線で構成された長い水平線を含む該薄型表示装置の該キャビネットの輪郭線および該薄型表示装置が設置される室内の天井と壁面との接合線や窓枠などを構成する水平線となす角度が平行または直角からずれている場合には、不安定感とともに該薄型表示装置のユーザーに潜在的不満を抱かせる原因となる。
【０００３】
液晶表示パネルやプラズマディスプレイパネルなどの薄型表示パネルを表示素子とする薄型表示装置は、従来のブラウン管を表示素子とする表示装置と比較し格段に軽量で薄型である特長から壁面に取り付けられることが多く、天井と壁面または壁面と床面が接合する水平線、または該薄型表示装置設置場所近傍の家具や什器の輪郭線などが該薄型表示装置の表示画面観視時に同一視野内に視認され、相互の角度ずれに気付きやすい。
【０００４】
また、表示画面が大型であるにも拘らず軽量で薄型の斬新な意匠デザイン、さらには設置時の省スペースの特長により、薄型表示装置を床置き型または卓上型として使用するためのスタンドを併用する場合も多く、該薄型表示装置の表示部本体と該スタンドの組み立て精度により、該薄型表示装置の画面表示部の画枠や、キャビネットの輪郭線を構成するキャビネットの横幅方向の長い水平線と設置環境中の背景に含まれる水平線との角度づれが、前記同様に認識され易い。
【０００５】
上記問題への対応手段として、装置の水準を高精度に測定するために、特許文献1に見られるごとく液体と気泡を封入した気泡管を挟むように発光素子と2個の受光素子を並設配置し、発光素子からの光を気泡管内の気泡または液体を通じ２個の受光素子で受光した光量差を検出し電気信号に変換し、被計測面の傾斜角度に変換する発明がなされているほか、特許文献2に見られるごとく水平または鉛直状態を得るために何れの方向に回転させるべきかを液晶ディスプレイにより表示させる傾斜感知装置が発明されている。
【特許文献１】特開平９−２８０８５７号公報
【特許文献２】実開昭６３−１７７７０４号公報
【発明の開示】
【発明が解決しようとする課題】
【０００６】
大型で横長の表示画面を具備する薄型表示装置の設置時に該薄型表示装置を構成する画面表示部の画枠、またはキャビネットの輪郭線が、設置環境中の背景に含まれる水平線又は鉛直線との角度ずれが有る場合は、該角度ずれが認識され易く、不安定感とともに該薄型表示装置の品位を下げ、該薄型表示装置のユーザーに潜在的な不満を抱かせる原因となる。
【課題を解決するための手段】
【０００７】
大型表示画面の液晶表示パネルやプラズマディスプレイパネルなどの薄型表示素子を構成要素とする薄型表示装置において、該薄型表示装置の表示部本体に傾き角度検出手段を具備させる。
【０００８】
大型表示画面の液晶表示パネルやプラズマディスプレイパネルなどの薄型表示素子および床置き設置または卓上設置のためのスタンドを具備することを構成要素とする薄型表示装置において、該薄型表示装置の表示部本体に傾き検出手段を具備させる。
【０００９】
大型表示画面の液晶表示パネルやプラズマディスプレイパネルなどの薄型表示素子を構成要素とする薄型表示装置に傾き検出手段を具備させ、該傾き検出手段は該薄型表示装置の前キャビネットの輪郭線および、または前キャビネットの画面表示部の画枠部ラインとの水平方向での傾きがゼロの状態で固定、または校正されて前記薄型表示装置の表示部本体に設けられている。
【００１０】
大型表示画面の液晶表示パネルやプラズマディスプレイパネルなどの薄型表示素子を構成要素とする薄型表示装置の表示部本体を壁面に懸架する壁掛け型として、または該表示部本体にスタンドを取り付け、床置き型または卓上型として使用する薄型表示装置において、液体と気泡を透明容器内に封入した構造を有する水準器を該薄型表示装置に配設する。
【００１１】
また、本発明の水準器を、該薄型表示装置の少なくとも前面方向と上方向または下方向、または背面方向と上方向または下方向から視認可能な表示部本体の傾斜面に配設し、前記薄型表示装置の設置場所や設置方法に対応した視認性を確保している。
【００１２】
大型表示画面の液晶表示パネルやプラズマディスプレイパネルなどの薄型表示素子を構成要素とする薄型表示装置の表示部本体を壁面に懸架する壁掛け型として、または該表示部本体にスタンドを取り付け、床置き型または卓上型として使用する薄型表示装置において、傾き検出手段として液体と気泡を透明容器内に封入した構造の水準器と該気泡位置検出手段を用い、該気泡位置検出手段を有する水準器により検出された該薄型表示装置の傾きに関する情報を該薄型表示装置の表示画面上に表示させる。
【００１３】
大型表示画面の液晶表示パネルやプラズマディスプレイパネルなどの薄型表示素子を構成要素とする薄型表示装置の表示部本体を壁面に懸架する壁掛け型として、または該表示部本体にスタンドを取り付け、床置き型または卓上型として使用する薄型表示装置において、傾き検出手段として角度センサを用い、該角度センサにより検出された該薄型表示装置の傾きに関する情報を該薄型表示装置の表示画面上に表示させる。
【００１４】
大型表示画面の液晶表示パネルやプラズマディスプレイパネルなどの薄型表示素子を構成要素とする薄型表示装置の表示部本体を壁面に懸架する壁掛け型として、または該表示部本体にスタンドを取り付け、床置き型または卓上型として使用する薄型表示装置において、検出された該薄型表示装置の傾き情報として、傾きの方向または傾き補正方向または傾き角度の少なくとも何れかを該薄型表示装置の表示画面上に表示させる。
【発明の効果】
【００１５】
大型で横長画面を具備する薄型表示装置の表示部本体の傾き角度検出手段を設けることで、該薄型表示装置の観視時に設置環境中の同一視野内に含まれ視認される水平線との角度づれを傾き角度検出手段により検出し、傾き補正を高精度に調整することが出来るため、傾きが原因の不安定感とともに該薄型表示装置の品位を向上させることによりユーザーに潜在的不満を抱かせる原因を解消することが可能となった。角度ずれは、特にキャビネット外形の輪郭線や画面表示部の画枠部ラインで目立ちやすく、キャビネット外形の輪郭線や画面表示部の画枠部ラインと傾き角度検出手段とを傾きゼロで校正することで、角度検出手段による検出情報を基に容易に、且つ高精度に調整することが出来る。
【発明を実施するための最良の形態】
【００１６】
以下、図に基づき本発明の実施形態を液晶テレビに適用した場合に関し説明する。図１（ａ）は液晶テレビの外観正面図、図１（ｂ）は側面図である。図１において、１は画像表示のための液晶表示パネル、２は前キャビネット、３は後ろキャビネット、４は液晶テレビを卓上型として使用する場合のスタンド、６はスピーカパネル部である。
【００１７】
次に、図２の分解斜視図に基づき液晶テレビ内部の光学システムユニットの構成を説明する。液晶表示パネル1の背面側には、液晶表示画面の高輝度化や面輝度均一化などの画像品位改善のため、光反射、偏光、屈折、光拡散など、高度の光制御技術を利用した複数枚のフィルム状の光学シートセット１１が配設されている。さらに該光学シートセット１１の後方には、該光学シートセット１１および該液晶表示パネル１の背面から光照射するためのバックライトユニット１５が配設されている。該バックライトユニット１５は光拡散板１２と共にバックライトシャーシ１４内部に多数の発光管１３が配設され構成されている。
【００１８】
図５は室内に設置された大型で横長画面を有する液晶テレビの設置例を示している。液晶表示パネル１を表示素子とする液晶テレビ８の表示画面の大型化が著しく、立体音響効果による臨場感を再現するために該表示画面左右の両袖に配設されたスピーカを含むキャビネットの横幅寸法は大きく、僅かな傾き角度であっても幾何学的な直線で構成された長い水平線を含む該液晶テレビ８の該キャビネットの輪郭線および該液晶テレビ８の表示画面観視時の同一視野内に存在する室内の天井面２２と壁面２３との接合線２６や窓枠などを構成する水平線、または家具や什器２５などとのなす角度が平行または直角からずれている場合には不安定感とともに該液晶テレビ８のユーザーに潜在的な不満を抱かせる原因となる。
【００１９】
前記問題への対応手段として、液晶テレビ８の表示部本体の傾き角度調整装置が別途出願されているが、該表示部本体の傾き方向および傾きの程度を正確に把握する必要がある。最も簡便な構造の水準器としては、図３（ａ）に示すごとく、ガラスなどによる透明管２１ａの内部に液体２１ｂと僅かな気泡２１ｃを封入した気泡管式水準器２１がある。該傾き調整装置の調整部分が該液晶テレビ８の前面側または背面側の何れの面に配設されていても同様に容易に水準器２１を視認することが出来るように、該気泡管式水準器２１は図３（ｂ）に示すごとく後ろキャビネット３の天面の傾斜部分に設けられた液晶テレビ操作部７に併設している。
【００２０】
液晶テレビの製造工程にて気泡管式水準器２１はビス２１ｅと２１ｆにて後ろキャビネットに固定されるが、その際の固定手順としては、例えばスタンド４取付前の表示部本体を、水平面を維持する平面台上に、前キャビネット２の輪郭線２ｂが平面台に沿うように載置し、気泡管式水準器２１内の気泡２１ｃの中央部が基準線２１ｄに一致する状態でビス２１ｅと２１ｆにて固定する。これによって前キャビネット２の輪郭線２ｂと気泡管式水準器２１の水平度が連動することになる。また、前キャビネット２の輪郭線２ｂが水平の場合には、前キャビネット２の画面表示部の画枠部２ａのラインも一般的には輪郭線２ｂと平行になるため、さらに画枠部２ａのラインと気泡管式水準器２１の水平度も連動することになる。また、輪郭線が湾曲や角錐形などの場合は、画枠部のラインの水平度を治具にて維持された状態で気泡管式水準器のビス固定がされることになる。
【００２１】
液晶テレビ８が壁面に懸架し設置された場合、または床上または卓上に設置するために該液晶テレビ８の表示部本体にスタンド４が取り付けられた場合の何れの液晶テレビ８の設置方法であっても、該液晶テレビ８の表示部本体のキャビネットの輪郭線２ｂを構成する水平線が傾いた場合には、図３に示す液晶テレビ８の後ろキャビネット３に取り付けられた気泡乾式水準器２１の透明管２１ａ内に封入された液体２１ｂ中の気泡２１ｃの位置が、基準線２１ｄの左右のいずれ側に偏位しているかにより傾きの方向を判定することができ、また気泡位置が基準線からどの程度ずれているかにより傾きの程度を知ることが出来る。
【００２２】
図４は、気泡乾式水準器を液晶テレビ８の後ろキャビネットの底面傾斜部分に設けられた場合を表し、（ａ）はスタンド付の背面図であり、（ｂ）は表示部本体とスタンドを分離した状態の背面図である。図４において、３ａはキャビネットの底面傾斜部、３ｂは放熱孔、５はスタンドカバー、４ａはスタンド支柱、４ｂはスタンド取付け孔、９はシャーシのスタンド取付け部、９ａはスタンド固定孔である。スタンド４は、図示しない４本のビスにてスタンド取付け孔４ｂを通してシャーシのスタンド取付け部９のスタンド固定孔９ａで固定される。また、スタンドカバー５は、シャーシのスタンド取付け部９とスタンド取付け孔４ｂを覆う状態で後キャビネット３に嵌合される。
【００２３】
図示のように、気泡管式水準器２１がキャビネットの底面傾斜部３ａに設けられていることは、前キャビネット２の画面表示部の画枠部２ａのラインや輪郭線２ｂに傾きが見られた場合にスタンド取付けビスを緩めて水平度を校正したのち再度ビス固定をする場合には、ビス固定作業側（液晶テレビ８背面側）から容易に視認可能であるとともに、表示部本体をスタンド４から外して壁掛け視聴する場合にも、下からの覗き込みが可能である。
【００２４】
液晶テレビの製造工程にて気泡管式水準器２１はビス２１ｅと２１ｆにて後ろキャビネットの底面傾斜部３ａに固定されるが、その際の固定手順としては、例えばスタンド４取付前の表示部本体を、水平面を維持する平面台上に、前キャビネット２の輪郭線２ｂが平面台に沿うように載置し、気泡管式水準器２１内の気泡２１ｃの中央部が基準線２１ｄに一致する状態でビス２１ｅと２１ｆにて固定する。これによって前キャビネット２の輪郭線２ｂと気泡管式水準器２１の水平度が連動することになる。また、前キャビネット２の輪郭線２ｂが水平の場合には、前キャビネット２の画面表示部の画枠部２ａのラインも一般的には輪郭線２ｂと平行になるため、さらに画枠部２ａのラインと気泡管式水準器２１の水平度も連動することになる。また、輪郭線が湾曲や角錐形などの場合は、画枠部のラインの水平度を治具にて維持された状態で気泡管式水準器のビス固定がされることになる。
【００２５】
例えば図５に示すように液晶テレビ８が什器２５上に設定された後に水平方向の傾きが発見された場合の校正手順を説明する。水平方向の傾きが見られた場合、スタンドカバー５を後ろキャビネット３から外し、スタンド４固定用の４本のビスを緩める。気泡管式水準器２１を見ながら気泡２１ｃの中央部が基準線２１ｄに一致するように、表示部本体を傾き方向と逆の方向に傾ける。気泡２１ｃの中央部が基準線２１ｄに一致した状態で４本のビスを固定し、スタンドカバー５を取り付けて傾き校正が終了する。
【００２６】
次に壁掛け視聴の場合の設置手順を説明する。スタンド４が取り付けられている状態から、スタンドカバー５を後ろキャビネット３から外し、スタンド４固定用の４本のビスを外す。表示部本体を図示しない壁掛け金具に仮固定する。次に、気泡管式水準器２１を下から覗き込み、気泡２１ｃの中央部が基準線２１ｄに一致するように表示部本体を傾き方向と逆の方向に傾ける。気泡２１ｃの中央部が基準線２１ｄに一致した状態で壁掛け金具に本固定することで、水平度を確保した壁掛け視聴が可能となる。
【００２７】
尚、本実施の形態としては気泡管式水準器２１を、液晶テレビ８の背面上部や下部に設けての説明としたが、液晶テレビ８の前面や、扉を設けてその中に設けることや、複数の位置に設けることも可能である。また、液晶テレビ８は大型の液晶表示パネルを具備しているため、前記特許文献１（特開平９−２８０６５７号公報）に見られるごとく液体と気泡を封入した気泡管を挟むように発光素子と２個の受光素子を並設配置し、発光素子からの光を気泡管内の気泡または液体を通じ２個の受光素子で受光した光量差を検出し電気信号に変換し、さらに、特許文献２（実開昭６３−１７７７０４号公報）に見られるごとく水平または鉛直状態を得るために何れの方向に回転させるべきかを該液晶テレビの液晶表示パネル上に表示させることにより、極めて効率の高い設置作業を行うことも出来る。
【００２８】
図６は傾き検出を角度センサで行う場合を説明する液晶テレビの映像処理の概略ブロック図である。図において、３０はアンテナ、３１はチューナ、３２はデコーダ、３３は映像信号処理、３４はＬＣＤコントローラ、３５は液晶パネル、３６は制御部、３７はＯＳＤ回路、３８バックライト、３９はバックライト制御、４０は操作部、４１は角度センサ、４２はメモリである。
【００２９】
放送信号はアンテナ３０で受信され、チューナ３１にて好みのチャンネルが受信される。デコーダ３３にて受信信号のフォーマットに合せた復調処理がなされ、映像信号や音声信号や付加情報信号として取り出される。映像信号は映像信号処理３３にて所望の信号に処理された後、ＬＣＤコントローラ３４にて液晶パネル３５を駆動する信号に変換され、液晶パネル３５に入力される。制御部３６は液晶テレビのシステム全般の制御を行う。ユーザーが操作部４０から入力した明るさ調整レベルや、映像信号処理３３からの明るさ情報に基づき、制御部３６はバックライト制御３９に制御情報を入力し、バックライト３８の輝度を制御する。液晶パネル３５は背面からバックライト光が照射され、液晶パネル３５がＬＣＤコントローラ３４からの制御信号で制御されることで、液晶パネル３５に受信された映像が表示されることになる。
【００３０】
角度センサ４１は表示部本体内部に固定され、制御部に傾き角度データを出力する。制御部はユーザーの操作部４０操作による傾き表示指示に基づいて、表示部本体が水平面に対する傾き角度を液晶パネル３５にＯＳＤ表示する。尚、角度センサ４１は表示部本体内部のできるだけ水平方向端部に固定されることで、傾き検出精度が向上する。
【００３１】
角度センサ４１の設定方法について説明する。液晶テレビの製造工程にて角度センサ４１は表示部本体内部に固定され、水平面を維持する平面台上に置かれる。操作部４０を操作して液晶パネル３５に表示部本体の傾きをＯＳＤ表示させ、表示部本体、またはリモコンに設けられたリセットボタンにて、「傾き角度０度」に設定する。この時の角度センサ出力がメモリ４２に「傾き角度０度」に関連付けされて記憶される。また、前キャビネット２の輪郭線２ｂが水平の場合には、前キャビネット２の画面表示部の画枠部２ａのラインも一般的には輪郭線２ｂと平行になるため、さらに画枠部２ａのラインの水平度も連動することになる。また、輪郭線が湾曲や角錐形などの場合は、画枠部のラインの水平度を治具にて維持された状態で前記手順にて「傾き角度０度」に設定する。
【００３２】
角度センサ４１を設けた液晶テレビ８が、例えば図５に示すように什器２５上に設定された後に水平方向の傾きが発見された場合の校正手順を説明する。水平方向の傾きが見られた場合、ユーザーは操作部４０を操作して傾き表示指示を行い、表示部本体の水平面に対する傾き角度を液晶パネル３５にＯＳＤ表示する。傾き角度の表示は、例えばメモリ４２に記憶された「傾き角度０度」に関連付けされた角度と現在センサ４１から出力された角度との差分として表示される。スタンドカバー５を後ろキャビネット３から外し、スタンド４固定用の４本のビスを緩める。ＯＳＤ表示を見ながら「傾き角度０度」になるように、表示部本体を傾き方向と逆の方向に傾ける。ＯＳＤ表示が「傾き角度０度」の表示状態で４本のビスを固定し、スタンドカバー５を取り付けて傾き校正が終了する。
【００３３】
次に壁掛け視聴の場合の設置手順を説明する。スタンド４が取り付けられている状態から、スタンドカバー５を後ろキャビネット３から外し、スタンド４固定用の４本のビスを外す。表示部本体を図示しない壁掛け金具に仮固定する。次に、操作部４０を操作して傾き表示指示を行い、表示部本体の水平面に対する傾き角度を液晶パネル３５にＯＳＤ表示する。ＯＳＤ表示を見ながら「傾き角度０度」になるように、表示部本体を傾き方向と逆の方向に傾ける。ＯＳＤ表示が「傾き角度０度」の表示状態で壁掛け金具に本固定することで、水平度を確保した壁掛け視聴が可能となる。
【００３４】
図７、図８は前記説明の気泡管や角度センサからの傾き情報からＯＳＤ表示を行う場合の、ＯＳＤによる傾き表示の事例を説明した図である。図７は傾き角度を表示する事例を表し、（ａ）は表示部本体が水平面から３度傾いている状態の表示であり，（ｂ）は傾きが０度の状態の表示を表す。傾き角度の表示は、ユーザーの傾き補正動作に応答して逐次角度表示が更新される。
【００３５】
図８は傾き補正方向を表示する事例を表し、（ａ）は表示部本体の図面右側が下方向に大きく傾いた状態の表示であり、（ｂ）は図面右側が下方向やや傾いた状態の表示であり、（ｃ）は傾きが無い状態の表示を表す。ユーザーは（ａ）のＯＳＤ表示に従って表示部本体の図面右側を上方向に持ち上げて傾きを補正する。図面右側を上方向に持ち上げることで傾き修正が進むと例えば（ｂ）に示すＯＳＤ表示がなされ、ユーザーは更に図面右側を少し上方向に持ち上げて（ｃ）に示す「傾き修正なし」の表示がされるまで補正を行う。傾き修正方向の表示は、ユーザーの傾き補正動作に応答して逐次更新され、傾き修正方向とその修正度合いが矢印の方向と大きさで表示される。補正が不要になると「傾き修正なし」の表示がなされ、傾き修正が終了する。
【００３６】
尚、傾き状態のＯＳＤ表示の方法は前記方法に限定されるものではなく、矢印により傾きの方向を示す方法や、水平のバーを表示して傾き方向に角度を持たせての表示や、これらのアイコン表示とともに傾き角度も併せて表示する方法等、ユーザーが傾きの方向や傾き修正の方向や傾き角度を認識して、どの方向に修正することが必要か、傾きはないか、を示唆する表示は全て含まれることになる。
【００３７】
このように、薄型表示装置のキャビネットの輪郭線や画枠部のラインを構成する横幅方向の長い水平線と、該薄型表示装置の観視時に設置環境中の同一視野内に含まれ視認される水平線との角度づれを水準器や角度検出手段により検出し、目視やＯＳＤ表示に基づいて別途の傾き補正調整装置により高精度に調整することが出来、特に大型の薄型表示装置の傾きが原因の不安定感とともに該薄型表示装置の品位を向上させることによりユーザーに潜在的不満を抱かせる原因を解消することが可能となる。また、リモコンにより制御可能な角度調整装置を、例えばスタンドと表示部本体との間や、壁掛け金具と表示部本体との間に設け、傾き角度のＯＳＤ表示を見ながら、傾き補正を行うことも可能である。
【図面の簡単な説明】
【００３８】
【図１】本発明の実施形態に係わる液晶テレビの外観図で、図１（ａ）は正面図、図１（ｂ）は側面図である。
【図２】本発明の実施形態に係わる液晶テレビ内部の光学システムの構成を説明する分解斜視図である。
【図３】本発明の実施形態を示す図で、図３（ａ）は気泡管式水準器を、図３（ｂ）は該気泡管式水準器を液晶テレビの天面に配設した状態を示す斜視図である。
【図４】本発明の実施形態を示す図で、図４（ａ）は、乾式水準器を液晶テレビの後ろキャビネットの底面傾斜部分に配設した状態を示す背面図。図４（ｂ）は表示部本体とスタンドを分離した状態の背面図である。
【図５】本発明の実施形態に係わる液晶テレビを室内に設置した透視図である。
【図６】本発明の実施形態を示す図で、角度センサ使用時のブロック図。
【図７】本発明の実施形態を示す図で、ＯＳＤ表示例である。
【図８】本発明の実施形態を示す図で、ＯＳＤ表示例である。
【符号の説明】
【００３９】
１：  液晶表示パネル 
２：  前キャビネット
３：  後ろキャビネット
４：  スタンド
５：  スタンドカバー
６：  スピーカパネル部
７：  液晶テレビ操作部
８：  液晶テレビ
９：  スタンド取付け部
１１：  光学シートセット
１２：  光拡散板
１３：  発光管
１４：  バックライトシャーシ
１５：  バックライトユニット
２１：  気泡管式水準器
２１ａ：  透明管
２１ｂ：  液体
２１ｃ：  気泡
２１ｄ：  基準線
２２：  天井面
２３：  壁面
２４：  床面
２５：  家具や什器
２６：  接合線
３０：  アンテナ
３１：  チューナ
３２：  デコーダ
３３：  映像信号処理
３４：  ＬＣＤコントローラ
３５：  液晶パネル
３６：  制御部
３７：  ＯＳＤ回路
３８：  バックライト
３９：  バックライト制御
４０：  操作部
４１：  角度センサ
４２：  メモリ
【図１】
2007178148.tif 000003
【図２】
2007178148.tif 000004
【図３】
2007178148.tif 000005
【図４】
2007178148.tif 000006
【図５】
2007178148.tif 000007
【図６】
2007178148.tif 000008
【図７】
2007178148.tif 000009
【図８】
2007178148.tif 000010